(57)【要約】【課題】表示素子における表示輝度を徐々に変化させることにより、視覚によるリラクゼーション効果を得る。【解決手段】制御部６２は、所定時間内におけるＬＥＤ３３Ｂ・３３ＧのＯＮ時間とＯＦＦ時間との比を示すデューティ比の異なる複数の制御信号を生成するとともに、上記デューティ比が上記所定時間ごとに昇順と降順とを繰り返して変化するように、上記複数の制御信号の中から所定のデューティ比の制御信号を順次選択し、選択した制御信号に基づいて各出力ポートＰ１１・Ｐ１２・Ｄ１１・Ｄ１２のＯＮ／ＯＦＦを制御する。これにより、駆動素子３４が各出力ポートＰ１１・Ｐ１２・Ｄ１１・Ｄ１２のＯＮ／ＯＦＦ状態に基づいてＬＥＤ３３Ｂ・３３Ｇを駆動したときには、ＬＥＤ３３Ｂ・３３Ｇにおける表示輝度が、時間経過とともにそれぞれ徐々に変化する。【選択図】　図１
2004109620.tif 000002
【特許請求の範囲】
【請求項１】
機器の運転モードに応じた表示を行う少なくとも１個の表示素子と、
上記表示素子を駆動するための駆動手段と、
上記表示素子の表示をＯＮ／ＯＦＦするための制御信号を生成し、生成した制御信号に基づいて上記駆動手段を制御する制御手段とを備え、
上記制御手段は、上記表示素子の表示輝度が時間経過とともに連続的に変化するような制御信号を生成し、生成した制御信号に基づいて上記駆動手段を制御することを特徴とする表示装置。
【請求項２】
機器の運転モードに応じた表示を行う少なくとも１個の表示素子と、
上記表示素子を駆動するための駆動手段と、
上記表示素子の表示をＯＮ／ＯＦＦするための制御信号を生成し、生成した制御信号に基づいて上記駆動手段を制御する制御手段とを備え、
上記制御手段は、所定時間内における上記表示素子のＯＮ時間とＯＦＦ時間との比を示すデューティ比が上記所定時間ごとに昇順と降順とを繰り返して変化するような制御信号を生成し、生成した制御信号に基づいて上記駆動手段を制御することを特徴とする表示装置。
【請求項３】
上記表示素子は、機器の運転モードに対応して複数設けられており、
上記制御手段は、上記運転モードが交互に切り替わる運転状態において、各表示素子における表示輝度の和がゼロよりも大きくなるように、各表示素子に対応する制御信号を生成することを特徴とする請求項１または２に記載の表示装置。
【請求項４】
上記表示素子は、機器の運転モードに対応して複数設けられており、
上記制御手段は、上記運転モードが交互に切り替わる運転状態において、各表示素子の表示輝度の和が一定となるように、各表示素子に対応する制御信号を生成することを特徴とする請求項１ないし３のいずれかに記載の表示装置。
【請求項５】
上記表示素子は、機器の運転モードに対応して２個設けられており、
上記制御手段は、上記運転モードが交互に切り替わる運転状態において、一方の表示素子に対応する制御信号と、他方の表示素子に対応する制御信号とで、上記デューティ比が上記所定時間ごとに互いに逆順で変化し、かつ、上記のＯＮ時間が同一の時間差で変化するように、各表示素子に対応する制御信号を生成することを特徴とする請求項２に記載の表示装置。
【請求項６】
機器の運転モードに応じた表示を行う少なくとも１個の表示素子と、
上記表示素子を駆動するための駆動手段と、
上記表示素子の表示をＯＮ／ＯＦＦするための制御信号を生成し、生成した制御信号に基づいて上記駆動手段を制御する制御手段とを備え、
上記制御手段は、所定時間内における上記表示素子のＯＮ時間とＯＦＦ時間との比を示すデューティ比の異なる複数の制御信号を生成するとともに、上記デューティ比が上記所定時間ごとに昇順と降順とを繰り返して変化するように、上記複数の制御信号の中から所定のデューティ比の制御信号を順次選択し、選択した制御信号に基づいて上記駆動手段を制御することを特徴とする表示装置。
【請求項７】
上記表示素子は、機器の運転モードに対応して２個設けられており、
上記制御手段は、上記運転モードが交互に切り替わる運転状態において、一方の表示素子に対応する制御信号と、他方の表示素子に対応する制御信号とで、上記デューティ比が上記所定時間ごとに互いに逆順で変化し、かつ、上記のＯＮ時間が同一の時間差で変化するように、上記複数の制御信号の中から所定の制御信号を各表示素子に対応して順次選択し、選択した制御信号に基づいて上記駆動手段を制御することを特徴とする請求項６に記載の表示装置。
【請求項８】
機器の運転モードに応じた表示を行う少なくとも１個の表示素子と、
複数の出力ポートを有しているとともに、上記表示素子の表示をＯＮ／ＯＦＦするための制御信号を生成し、生成した制御信号に基づいて各出力ポートのＯＮ／ＯＦＦを制御する制御手段と、
上記制御手段における各出力ポートのＯＮ／ＯＦＦ状態に基づいて、上記表示素子を駆動する駆動手段とを備え、
上記制御手段は、所定時間内における上記表示素子のＯＮ時間とＯＦＦ時間との比を示すデューティ比の異なる複数の制御信号を生成するとともに、上記デューティ比が上記所定時間ごとに昇順と降順とを繰り返して変化するように、上記複数の制御信号の中から所定のデューティ比の制御信号を順次選択し、選択した制御信号に基づいて各出力ポートのＯＮ／ＯＦＦを制御することを特徴とする表示装置。
【請求項９】
請求項１ないし８のいずれかに記載の表示装置と、
運転モードを指示するための入力部とを備えてなることを特徴とする空気調整装置。
【発明の詳細な説明】
【０００１】
【発明の属する技術分野】
本発明は、例えば、イオン発生素子を備えた空気調整装置などの電気機器に使用され、機器の運転モードに応じた表示を行う表示装置と、これを備えた空気調整装置とに関するものである。
【０００２】
【従来の技術】
一般に、電気機器には、その動作状態（例えばＯＮ／ＯＦＦ）を表示するものとして、ＬＥＤ等を備えた表示装置が組み込まれている。そして、従来から、このような表示装置における輝度を目的に応じて切り替える手法が提案されている（例えば特許文献１、２参照）。
【０００３】
ここで、図２０は、特許文献１に記載の、表示装置を有する空気調和器の制御装置１０１の概略の構成を示している。この構成において、表示装置としてのＬＥＤ１０２の点灯時には、マイクロコンピュータ１０３からハイレベルの直流電圧が出力され、トランジスタ１０４がＯＮとなる。これにより、ＬＥＤ１０２には抵抗１０５で制限された電流が流れ、ＬＥＤ１０２が点灯する。なお、このときの輝度は、ＬＥＤ１０２を流れる電流により決まる、ある一定のものである。
【０００４】
一方、ユーザが輝度を切り替えるときは、輝度切り替え用スイッチ１０６を操作する。すると、この操作により、マイクロコンピュータ１０３に加えられる電圧値がゼロとなり、マイクロコンピュータ１０３は、この入力電圧に応じた輝度となるように、ＯＮとＯＦＦとが一定周期で繰り返されるパルス波形を出力する。トランジスタ１０４はこの出力波形を受けてＯＮ／ＯＦＦを行うことで、ＬＥＤ１０２にはパルス電流が流れ、ＬＥＤ１０２が点滅する。
【０００５】
このとき、パルス電流のＯＮ／ＯＦＦの切り替えをある速さ以上で行うと、人間の目がＬＥＤ１０２の点滅に追従できなくなり、人間にはＬＥＤ１０２が点灯しているように見える。このときのＯＮ／ＯＦＦの比率をデューティ比と言うが、このようにデューティ比を変えることにより、表示装置をユーザの好みに応じた輝度に調整することが可能となっている。
【０００６】
また、図２１は、特許文献２に記載の表示制御回路２０１の概略の構成を示している。この構成において、表示制御回路２０１の主制御部２０２は、外部から入力された表示データから生成したドットマトリクス形式の表示画像データの点灯ドット数を算出してデューティ制御部２０３に送出する。
【０００７】
デューティ制御部２０３は、主制御部２０２からの点灯ドット数に応じた表示デューティ比を生成してドライバ部２０４に送出する。ドライバ部２０４は、主制御部２０２で生成された表示画像データを、デューティ制御部２０３からの表示デューティ比にしたがって表示信号として表示素子部２０５に出力する。表示素子部２０５は、ドライバ部２０４から送られてきた表示信号によって画像を表示する。
【０００８】
通常、表示デューティ比が小さくなると、表示素子部２０５の視認性が低下するが、上記の構成においては、表示画像データの点灯ドット数が増加したときには表示デューティ比を小さくするように制御することで、表示装置の総消費電流の増加を抑制して、装置価格の低減や装置寸法の小型化が図られている。
【０００９】
【特許文献１】
特開平９−２８８４６５号公報（段落〔００１３〕〜〔００１６〕、
図１）
【特許文献２】
特開平５−６６７３１号公報（段落〔００１０〕〜〔００１１〕、
〔００１６〕〜〔００１７〕、図１）
【００１０】
【発明が解決しようとする課題】
ところで、特許文献１に記載の技術では、ＬＥＤ１０２の高速点滅時は、人間の目には一定輝度の点灯のように映るので、空気調和器のＯＮ／ＯＦＦに伴うＬＥＤ１０２のＯＮ（高速点滅）およびＯＦＦは、輝度を一定値からゼロに瞬時に切り替えるものと言える。また、特許文献２に記載の技術においても、各ドットの輝度は、表示画像データの点灯ドット数に応じて決まり、表示画像データごとには変化するが、各ドットのＯＮ／ＯＦＦは、やはり、輝度を一定値からゼロに瞬時に切り替えるものに変わりはない。
【００１１】
このように、ＬＥＤ１０２などの表示素子の表示輝度が瞬時に切り替わると、人間には目障りになることがある。例えば、イオン発生素子にて発生した負イオンを空気中に放出して人間にリラクゼーション効果を与えるような空気調整装置においても、機器の運転モードに応じた表示を行う表示素子が組み込まれているが、このような空気調整装置においては、表示素子の表示輝度を瞬時に変更させるよりも、表示輝度を徐々に変化させるほうが、負イオン放出に伴うリラクゼーション効果に加えて、視覚によるリラクゼーション効果も得られることが予想される。しかし、上記したいずれの従来技術も、表示輝度を瞬時に変化させるものなので、これらの技術を空気調整装置に適用しても、視覚によるリラクゼーション効果が得られないという問題が生ずる。
【００１２】
本発明は、上記の問題点に鑑みなされたもので、その目的は、表示素子における表示輝度を徐々に変化させることにより、視覚によるリラクゼーション効果を得ることのできる表示装置と、これを備えた空気調整装置とを提供することにある。
【００１３】
【課題を解決するための手段】
本発明の表示装置によれば、制御手段は、少なくとも１個の表示素子の表示輝度が時間経過とともに連続的に変化するような制御信号を生成し、生成した制御信号に基づいて、表示素子を駆動する駆動手段を制御する。上記の制御信号としては、例えば、所定時間内における表示素子のＯＮ時間とＯＦＦ時間との比を示すデューティ比が上記所定時間ごとに昇順と降順とを繰り返して変化するような制御信号を考えることができる。
【００１４】
このとき、制御手段は、上記デューティ比の異なる複数の制御信号を生成するとともに、上記デューティ比が上記所定時間ごとに昇順と降順とを繰り返して変化するように、生成した複数の制御信号の中から所定のデューティ比の制御信号を順次選択し、選択した制御信号に基づいて駆動手段を制御するようにしてもよい。
【００１５】
いずれにしても、制御手段は、表示素子のＯＮ時間が所定時間ごとに徐々に長くなったり、所定時間ごとに徐々に短くなったりするような制御信号を上記所定時間ごとに繰り返して生成し、上記制御信号に基づいて駆動手段を制御する。これにより、駆動手段は、表示輝度が時間経過とともに徐々に明るくなったり、徐々に暗くなったりするように表示素子を駆動する。そして、表示素子においては、このような表示輝度の変化が繰り返し連続して行われる。
【００１６】
すなわち、機器（例えば空気調整装置）の運転モードに応じた表示を行う表示素子においては、明から暗、暗から明への輝度変化が時間経過にしたがって徐々に行われるとともに、明から暗、暗から明、明から暗・・・の輝度変化が繰り返し行われる。なお、この場合の表示素子の数は、機器の運転モードの数に応じて設定されればよく、１個であっても２個以上の複数であっても構わない。
【００１７】
このように、少なくとも１個の表示素子における表示輝度が時間経過とともに徐々に変化するようになるので、そのような表示素子を見る人間に、気分を和らげる快いリラクゼーション効果を与えることができる。
【００１８】
また、制御手段が、上記デューティ比の異なる複数の制御信号を生成するとともに、上記デューティ比が上記所定時間ごとに昇順と降順とを繰り返して変化するように、生成した複数の制御信号の中から所定のデューティ比の制御信号を順次選択し、選択した制御信号に基づいて、制御手段の各出力ポートのＯＮ／ＯＦＦを制御する一方、駆動手段が、上記各出力ポートのＯＮ／ＯＦＦ状態に基づいて、少なくとも１個の表示素子を駆動する構成であっても、上記表示素子における表示輝度が時間経過とともに徐々に変化することに変わりはなく、上記と同様にリラクゼーション効果を得ることができる。
【００１９】
さらに、上記表示素子が機器の運転モードに対応して複数設けられている場合、上記制御手段は、上記運転モードが交互に切り替わる運転状態において、各表示素子の表示輝度の和が一定となるように、各表示素子に対応する制御信号を生成する構成であることが望ましい。これは、上記表示素子が機器の運転モードに対応して例えば２個設けられている場合は、上記制御手段は、一方の表示素子に対応する制御信号と、他方の表示素子に対応する制御信号とで、上記デューティ比が上記所定時間ごとに互いに逆順で、かつ、上記のＯＮ時間が同一の時間差で変化するように、各表示素子に対応する制御信号を生成することで実現可能である。
【００２０】
この場合、一方の表示素子の表示輝度が最大のときは、他方の表示素子の表示輝度は最小となり、表示輝度の最大、最小が上記２個の表示素子間で時間経過とともに交互に切り替わる。したがって、上記２個の表示素子における表示輝度を時間経過とともに連続的に変化させながら、上記２個の表示素子を交互に点滅させることができ、上記のリラクゼーション効果をさらに高めることができる。
【００２１】
また、本発明の表示装置と、運転モードを指示するための入力部とで空気調整装置を構成すれば、入力部にて入力指示された運転モードに応じて表示装置が表示を行う。これにより、空気調整装置の運転モードごとに、表示輝度が時間経過とともに徐々に変化するような表示を実現することができるので、そのような空気調整装置において、空気調整による効果（例えば負イオン放出によるリラクゼーション効果）に加えて、視覚によるリラクゼーション効果を得ることもでき、装置全体としてリラクゼーション効果を高めることができる。
【００２２】
【発明の実施の形態】
本発明の実施の一形態について、図面に基づいて説明すれば以下の通りである。図２（ａ）は、本発明の空気調整装置１の前方側から見たときの外観を示す斜視図であり、図２（ｂ）は、空気調整装置１の正面図である。図３（ａ）は、空気調整装置１の右側面側から見たときの斜視図であり、図３（ｂ）は、空気調整装置１の後方側から見たときの斜視図である。また、図５は、上記空気調整装置１の概略の構成を示す分解斜視図である。
【００２３】
図２（ａ）（ｂ）および図３（ａ）（ｂ）に示すように、本発明の空気調整装置１は、本体２と、本体２の前面に設けられるフロントパネル３とを有して構成されている。
【００２４】
本体２は、後述するイオン発生素子４１（図５参照）を有しており、イオン発生素子４１にて発生する正負両イオンを装置外部に放出ことにより、空気調整、すなわち、装置周囲の空気中の浮遊細菌の不活化および／または有害物質の分解・除去を行う。本体２は、フロントパネル３を付けた状態、あるいは、フロントパネル３を取り外した状態で、金属製のスタンド４（載置手段）にて卓上で支持されるようになっている。
【００２５】
フロントパネル３は、本実施形態では、写真を飾ることのできるフォトフレームで構成されている。つまり、フロントパネル３は、図５に示すように、写真を挟むことのできる２枚の透明ガラス板３ａ・３ｂで構成されている。これにより、空気調整装置１が空気調整の役割以外にもフォトスタンドとしての役割も兼ねることになる。また、フロントパネル３が装置の装飾機能を果たすことにもなるため、部屋のインテリア効果を高めることができるという利点もある。
【００２６】
このフロントパネル３は、本体２に対して着脱自在であり、工具を使用せずに緩めたり締めたりできる形態の特殊ネジ５で本体２に上下２箇所で固定されている。なお、フロントパネル３の本体２に対する固定位置および固定の方法はこれに限定されるわけではない。
【００２７】
また、本実施形態では、フロントパネル３は、本体２における接触面よりも大きいパネル面積となる形状で形成されている。これにより、空気調整装置１を正面から見た場合に、フロントパネル３によって本体２が隠れるため、相手に本体２の存在を悟られることなく、本体２による装置周囲の空気調整を行うことができる。なお、フロントパネル３の大きさは、これに限定されるわけではなく、本体２との接触面と同等もしくは小さいパネル面積となる大きさであってもよい。
【００２８】
次に、上記した本体２について、主に、図４および図５に基づいてさらに詳細に説明する。図４は、フロントパネル３を取り外した状態の本体２の外観を示す斜視図である。
【００２９】
本体２は、この本体２を前後２つに分割する筐体前部２ａと筐体後部２ｂとが貼り合わされて構成されている。筐体前部２ａおよび筐体後部２ｂは、例えばＰＣ（ｐｏｌｙｃａｒｂｏｎａｔｅ）、ＡＢＳ（ａｃｒｙｌｏｎｉｔｒｉｌｅ　ｂｕｔａｄｉｅｎｅ　ｓｔｙｒｅｎｅ　ｃｏｐｏｌｙｍｅｒ）などの樹脂で形成されている。筐体後部２ｂには、筐体前部２ａに比べて奥行きを持たせている。
【００３０】
ここで、図６（ａ）は、筐体前部２ａの概略の構成を示す平面図であり、図６（ｂ）は、図６（ａ）の筐体前部２ａにおけるＡ−Ａ´線矢視断面図である。また、図７（ａ）は、図７（ｂ）の筐体後部２ｂにおけるＢ−Ｂ´線矢視断面図であり、図７（ｂ）は、筐体後部２ｂの概略の構成を示す平面図である。
【００３１】
これらの図に示すように、筐体前部２ａおよび筐体後部２ｂの内部の４隅には、それぞれの先端に凹部または凸部が形成された凸状の位置決め固定部６・７が形成されており、貼り合わせ時には、位置決め固定部６・７の先端同士が互いに嵌合することで、筐体前部２ａと筐体後部２ｂとが位置ずれすることなく貼り合わされる。したがって、固定用金具（例えばビス）を用いることなく、筐体前部２ａと筐体後部２ｂとを容易に貼り合わせることができ、また、その分離も容易に行うことができる。
【００３２】
また、筐体前部２ａおよび筐体後部２ｂの縁、つまり、貼り合わせ面は、互いに凹凸状態となって嵌合するような形状で形成されており、筐体前部２ａと筐体後部２ｂとの貼り合わせによる固定を、より確実なものとしている。なお、筐体前部２ａと筐体後部２ｂとをビス等で止める構成としても、勿論構わない。
【００３３】
また、図４および図５に示すように、筐体前部２ａの上面および下面には、上面および下面から本体外側に向かって突出するように、係止部８がそれぞれ設けられている。この係止部８は、フロントパネル３の係止用の貫通穴８ａを有している。上記した特殊ネジ５をフロントパネル３に設けられた貫通穴３ｃ・３ｄと、筐体前部２ａの係止部８の貫通穴８ａとに挿入し、ナット９で固定することで、フロントパネル３を本体２に取り付けることができる。
【００３４】
筐体後部２ｂの左右の各側面、すなわち、本体２における一対向面には、本体２内で発生したイオンを装置外部に送出するための送出口１０がそれぞれ設けられている。各送出口１０は、縦方向（筐体後部２ｂの上面および下面に垂直な方向）にスリット形状で形成されている。なお、送出口１０の位置は、筐体後部２ｂの各側面に限定されるわけではなく、例えば筐体後部２ｂの上面であっても構わない。また、各送出口１０は、横方向のスリット形状であっても構わない。
【００３５】
このように、各送出口１０を一対向面にそれぞれ設けることにより、正負両イオンを各送出口１０を介して装置外部に放出したときに、装置周囲の空気調整を効率よく行うことができる。
【００３６】
また、各送出口１０を、本体２（筐体後部２ｂ）におけるフロントパネル３の取り付け面とは異なる面に形成することにより、装置の前方（フロントパネル３に対して本体２とは反対側の方向）にいる使用者に直接イオンを含んだ空気が当たることなく、装置周囲の空気を調整することができる。
【００３７】
このことから、本発明の空気調整装置１は、装置の前面側に設けたフロントパネル３の外側を介して正負両イオンを含んだ空気が装置前方に吹き出される構成であるとも言える。
【００３８】
また、図５に示すように、筐体後部２の背面下方位置には、装置内に空気を吸引するための吸引口１１が設けられている。つまり、本実施形態では、各送出口１０と吸引口１１とは、本体２の異なる面にそれぞれ設けられている。これにより、各送出口１０から送出されたイオンが直接吸引口１１に吸引されるようなことがなく、本体２から送出されるイオンを装置周囲に確実に拡散させることができる。
【００３９】
また、筐体後部２ｂの背面には、上記の吸引口１１を装置外側から覆うように、取り外し自在のフィルタ１２が取り付けられている。これにより、装置外部から空気を吸引する際に、空気中のほこりや塵がフィルタ１２にて除去されるようになっている。このフィルタ１２は、吸引口１１よりも一回り大きく筐体後部２ｂに形成された凹部１３に嵌められている。なお、このフィルタ１２に脱臭作用を持たせても勿論構わない。
【００４０】
さらに、筐体後部２ｂの背面の吸引口１１よりも下方位置には、スタンド４を取り付けるためのスタンド取り付け穴（図示せず）が設けられている。
【００４１】
一方、筐体後部２ｂの上面には、装置の運転操作を行うための操作部１４が設けられている。この操作部１４は、装置の駆動をＯＮ／ＯＦＦするとともに、イオン発生素子４１の後述する運転モードを指示するための操作ボタン１５（入力部）と、電気機器としての空気調製装置１の運転モードに応じた表示を行う表示部１６とで構成されている。なお、本実施形態においては、「機器の運転モード」という表現は、「空気調整装置１の運転モード」と「イオン発生素子４１の運転モード」との両方を含んでいるものとする。
【００４２】
なお、本発明は、表示部１６での表示の仕方に特徴があるが、この点については後述する。
【００４３】
また、本実施形態では、操作部１４のデザイン性を重視して、操作ボタン１５と表示部１６とは、その断面形状が同一（例えば断面が逆ホームベース型）で、かつ、連続的につながるような形状で形成されている。これにより、操作部１４の視認性がよくなり、操作部１４全体の完成度を向上させることができ、また、操作もしやすくなる。操作ボタン１５および表示部１６は、それらの先端が筐体後部２ｂの上面に設けられた開口部１７から突出するように設けられている。
【００４４】
なお、本実施形態では、表示部１６は、その長手方向の長さが操作ボタン１５のそれよりも長くなるように形成されているが、これに限定されるわけではない。また、操作ボタン１５は、ソフトタッチ式のボタンであっても構わない。
【００４５】
なお、図５では、筐体後部２ｂを、その上面を取り外した形で図示しているが、これはあくまでも操作部１４の説明の便宜のためであり、本実施形態では、筐体後部２ｂの上面は、筐体後部２ｂの側面や背面と一体化されている。しかし、筐体後部２ｂを、その上面を取り外せる構成としても勿論構わない。
【００４６】
次に、本体２の内部構成の詳細について、図５、図６（ａ）（ｂ）、図７（ａ）（ｂ）および図８に基づいて説明する。図８は、本体２の内部の詳細な構成を示す斜視図であり、本体２から筐体前部２ａを取り外した状態を示している。
【００４７】
本体２の内部には、表示基板３１と、イオン発生素子４１と、送風機（吸引手段）５１と、制御基板６１と、電源回路８１（図１参照）とが設けられている。電源回路８１は、本体２の各部を駆動するために各部にＤＣ電源を供給するものであり、部屋内のＡＣコンセントとＤＣアダプタ８２を介して接続されている。
【００４８】
なお、電源回路８１を電池や充電池、ソーラーバッテリ等で構成することも勿論可能である。この場合は、装置の持ち運びが自由にでき、また、コードの長さ等による設置位置の制約もなくなる。
【００４９】
表示基板３１は、本体２内部の上面側に設けられており、制御基板６１は、本体２内部の下面側に設けられている。そして、イオン発生素子４１が表示基板３１と制御基板６１との間であって、表示基板３１の近傍に設けられており、送風機５１がイオン発生素子４１と制御基板６１との間の略中間位置に設けられている。
【００５０】
また、表示基板３１と制御基板６１とは、平板状のフラットケーブル７１（図８参照）を介して電気的に接続されている。このフラットケーブル７１は、送風機５１を避けるようにして表示基板３１と制御基板６１とを機械的に、かつ、直線的に接続する役目も果たすため、表示基板３１および制御基板６１の上下方向（基板面に垂直方向）の動きをより抑えることができる。なお、フラットケーブル７１の代わりに、表示基板３１と制御基板６１とを単に電気的に接続するだけのフレキシブルプリント基板を用いても構わない。
【００５１】
次に、上記した表示基板３１、イオン発生素子４１、送風機５１および制御基板６１の詳細について、以下、順に説明する。
【００５２】
まず、表示基板３１の詳細について説明する。
表示基板３１は、機器の運転モードに応じた表示を実現するための回路基板である。この表示基板３１上には、図５に示すように、運転スイッチ３２と、発光ダイオード３３と、複数の接続端子とが形成されている。
【００５３】
なお、表示基板３１と制御基板６１と電源回路８１とで本発明の表示装置が構成されるが、この表示装置の詳細については、別途後述することにする。
【００５４】
運転スイッチ３２は、装置の運転のＯＮ／ＯＦＦを切り替えるものであり、その切り替えは、操作部１４の操作ボタン１５の押圧により行われる。運転スイッチ３２の切り替え信号は、フラットケーブル７１を介して制御基板６１に送られる。
【００５５】
発光ダイオード３３は、機器の運転モードに対応する色を発光するものであり、本実施形態では、青色と緑色とを発光する複数の発光ダイオードで構成されている。なお、発光色はこれらの色に限定されるわけではない。操作部１４の表示部１６は、発光ダイオード３３の表面を覆うカバーの役目を果たしており、それゆえ、この表示部１６を介して発光ダイオード３３の発光色を認識することで、使用者は機器（空気調整装置１もしくはイオン発生素子４１）の運転モードを容易に把握することが可能である。
【００５６】
例えば、装置が除菌モードで運転する場合に青色の発光ダイオード３３が点灯し、装置がリラックスモードで運転する場合に緑色の発光ダイオード３３が点灯するように、表示基板３１は構成されている。これにより、使用者は、装置の運転状態（駆動状態）が除菌モードかリラックスモードかを表示部１６の表示色を認識して容易に把握することができる。
【００５７】
なお、上記の除菌モードとは、空気中の浮遊細菌を不活化させたり、有害物質を除去すべく、イオン発生素子４１から正負ほぼ同量のイオンを発生させて装置外部に放出する運転モードをいい、上記のリラックスモードとは、装置の使用者や装置の周囲にいる人をリラックスさせるべく、イオン発生素子４１から主に負イオン（もしくは負イオンのみ）を発生させて装置外部に放出する運転モードをいう。
【００５８】
上記構成の表示基板３１は、本体２内では、筐体前部２ａおよび筐体後部２ｂに設けられた表示基板支持部１８・１９（図６（ａ）、図７（ｂ）参照）にて支持されている。表示基板支持部１８・１９は、それぞれ筐体前部２ａおよび筐体後部２ｂの内面から突出した断面Ｕ字型の立壁であり、その凹部に表示基板３１が挿入されることにより、表示基板３１が支持、固定される。なお、筐体後部２ｂに係止片とネジ穴とを設けておき、これに表示基板３１をネジ止めする構成であっても構わない。
【００５９】
次に、イオン発生素子４１について説明する。
図９は、イオン発生素子４１の放電面側から見たときの概略の構成を示す透視斜視図である。イオン発生素子４１は、放電面での放電により正負両イオンを放出するものであり、箱型の本体４２に、誘電体４３と、内部電極４４と、外部電極４５と、高圧パルス駆動回路４６と、リード線４７とを有して構成されている。
【００６０】
本体４２の一面には、矩形の開口部４２ａが形成されており、誘電体４３は、この開口部４２ａの設けられた本体４２の面と面一となるように設けられている。また、誘電体４３の一対向面には、板状の内部電極４４と網状の外部電極４５とがそれぞれ形成されており、開口部４２ａから外部電極４５が露出するように、誘電体４３が本体４２に設けられている。高圧パルス駆動回路４６は、リード線４７を介して内部電極４４と外部電極４５とに接続されている。また、高圧パルス駆動回路４６は、上記の電源回路８１と、本体４２の外側に形成された接続端子を介して接続されている。
【００６１】
この構成により、高圧パルス駆動回路４６を駆動すると、内部電極４４と外部電極４５との間に正電圧と負電圧からなる高圧パルス電圧が印加され、プラズマ放電が起こる。これによって外部電極４５の周辺の空気がイオン化され、例えばＨ＋（Ｈ２Ｏ）ｍ（ｍは任意の自然数）からなる正イオンと、例えばＯ２−（Ｈ２Ｏ）ｎ（ｎは任意の自然数）からなる負イオンとがほぼ同数発生するようになる。よって、上記の放電面とは、本体４２における外部電極４５側の面を指している。
【００６２】
なお、内部電極４４を接地し、外部電極４５のみに高圧パルス駆動回路４６が高圧パルス電圧を印加する構成としても構わない。
【００６３】
ここで、装置の除菌モードとリラックスモードとでは、イオン発生素子４１の動作は異なっている。より具体的には、イオン発生素子４１は、装置の運転モードに応じて、正イオンと負イオンとの発生量を調整している。この点について説明すると以下の通りである。なお、ここでは、説明の理解を容易にするために、内部電極４４を接地し、外部電極４５に高圧パルス電圧を印加する構成とした場合について説明する。
【００６４】
図１０（ａ）（ｂ）は、高圧パルス駆動回路４６が出力する高圧パルスの波形を示している。除菌モードの場合、イオン発生素子４１の高圧パルス駆動回路４６は、図１０（ａ）に示すように、正電圧と負電圧とが同じ印加期間で交互に繰り返されるような高圧パルスを外部電極４５に印加する。これにより、内部電極４４と外部電極４５との間の電位差に基づいて外部電極４５近傍でコロナ放電が起こり、イオン発生素子４１から正負ほぼ同量のイオンが放出される。
【００６５】
一方、リラックスモードの場合、高圧パルス駆動回路４６は、図１０（ｂ）に示すように、正電圧よりも負電圧のほうが長い印加期間で正負両電圧が交互に繰り返されるような高圧パルスを外部電極４５に印加する。これにより、内部電極４４と外部電極４５との間の電位差に基づいて外部電極４５近傍でコロナ放電が起こり、イオン発生素子４１から正イオンよりも量の多い負イオンが放出される。
【００６６】
ここで、高圧パルス駆動回路４６は、リラックスモードの場合には、外部電極４５に負の直流高電圧のみを印加して、負イオンのみをイオン発生素子４１から発生させる回路であっても構わない。この場合は、負イオンの放出によるリラクゼーション効果をさらに高めることができる。
【００６７】
上記構成のイオン発生素子４１は、放電面が送風機５１と対向するように本体２内に収容される。そして、本体２内部では、筐体後部２ｂの内部側面に設けられたリブ２０（図８参照）により、イオン発生素子４１の短手方向の側面が支持されるとともに、筐体後部２ｂの内部背面側に設けられたリブ２１（図７（ｂ）参照）により、イオン発生素子４１の長手方向の側面が支持される。リブ２１は、筐体後部２ｂの背面に対して垂直方向から見て略コ字状で形成されている。
【００６８】
次に、送風機５１について説明する。
送風機５１は、装置外部から空気を吸引するとともに、吸引した空気をイオン発生素子４１の放電面に供給するものであり、図８に示すように、ケーシング５２と、図示しないＤＣモータおよびターボファンとを有して構成されている。
【００６９】
ケーシング５２は、一面を開放された送出口５３と、本体２の吸引口１１を介して装置外部からの空気を吸引するための吸引口（図示せず）とを有しており、平面視でインボリュート曲線のような形状をしている。送出口５３は、イオン発生素子４１および送風機５１を本体２内に収容したときに、イオン発生素子４１の放電面と略対向した位置となるように、ケーシング５２に形成されている。これにより、送風機５１によって装置外部から吸引した空気が、送出口５３を介して、イオン発生素子４１の放電面に対して略垂直に当たるようになっている。
【００７０】
なお、ケーシング５２は、上述したように平面視でインボリュート曲線のような形状をしているため、送風機５１を筐体後部２ｂに収容したときに、送出口５３は、筐体後部２ｂの一対向面に設けられた各送出口１０のうち、どちらか一方の送出口１０に近寄る位置となる。
【００７１】
ＤＣモータは、上記の電源回路８１によって駆動されるものであり、ケーシング５２の中央に埋め込まれている。これにより、送風機５１自体を薄く構成することができる。ターボファンは、ＤＣモータによって高速回転することで、本体２の吸引口１１およびケーシング５２の吸引口を介して装置外部の空気を吸引するとともに、吸引した空気を送出口５３を介してイオン発生素子４１に供給する役目を果たす。
【００７２】
上記構成の送風機５１は、送風機５１と略同形状で筐体後部２ｂに形成された立壁２２（図７（ｂ）参照）内に嵌め込まれることにより、本体２内に収容される。このとき、送出口５３がイオン発生素子４１の放電面と対向し、かつ、ケーシング５２の吸引口が筐体後部２ｂの吸引口１１と対向するように、送風機５１が本体２内に収容される。また、本体２内では、ＤＣモータは、筐体前部２ａに設けられた複数のモータ押え部２３（図６（ａ）参照）により筐体後部２ｂ方向に押さえられており、本体２内では安定して配置される。
【００７３】
また、イオン発生素子４１および送風機５１を本体２内に収容したときには、イオン発生素子４１と送風機５１との間には、所定の空間が形成されるようになっている。これにより、送風機５１からイオン発生素子４１に空気が供給されると、イオン発生素子４１にて発生したイオンは、イオン発生素子４１の放電面に沿って略水平方向に流れ、本体２の各送出口１０から装置外部に放出される。このことにより、放電音が低減される。
【００７４】
また、筐体後部２ｂには、図８に示すように、イオン発生素子４１の放電面にて発生したイオンが各送出口１０から略同量で送出されるように、上記イオンの流れを規制する規制部（規制手段）２６が設けられている。その理由は、以下の通りである。
【００７５】
上述したように、送風機５１を筐体後部２ｂに収容したときには、送風機５１の送出口５３は、ケーシング５２の形状が原因で、筐体後部２ｂの一対向面に設けられた各送出口１０のどちらか一方に近寄った位置となるため、送風機５１の送出口５３からイオン発生素子４１の放電面に空気が吹き付けられると、上記放電面にて発生したイオンは、送風機５１の送出口５３が近寄っている方の、筐体後部２ｂ側面の送出口１０から多く送出されることになる。
【００７６】
そこで、筐体後部２ｂにおいて、イオンが多く放出される方の送出口１０の近くに規制部２６を形成し、一方の上記送出口１０に流れるイオンの量を規制することで、イオン発生素子４１にて発生するイオンを、両方の送出口１０から略同量で放出させることができる。これにより、各送出口１０からイオンがバランスよく装置外部に放出されるので、装置周囲を効率よく快適化することができ、装置周囲の快適度向上を図ることができる。
【００７７】
この規制部２６の形状、大きさ、配置位置は、送風機５１がイオン発生素子４１に供給する空気の量（風量）および風速、送出口５３の大きさおよび形成位置、イオン発生素子４１の放電面の大きさおよび形成位置等により異なるが、それらを十分勘案した上で、イオン発生素子４１の放電面にて発生したイオンが各送出口１０から略同量で送出されるように、規制部２６の形状、大きさ、配置位置を適宜設定すればよい。
【００７８】
次に、制御基板６１について説明する。
制御基板６１は、本体２内の各部の動作を制御するものであり、表示基板３１の制御部６２（図１参照）、運転モード切り替え回路、イオン発生素子４１の制御回路、送風機５１のＤＣモータの制御回路などを備えている。
【００７９】
表示基板３１の制御部６２は、表示基板３１における発光ダイオード３３の点灯（ＯＮ）および消灯（ＯＦＦ）を制御する回路であるが、その詳細については後述する。
【００８０】
運転モード切り替え回路は、操作ボタン１５の押圧に伴って装置の運転モードを切り替える回路である。例えば、操作ボタン１５を１回押すごとに、運転モード切り替え回路は、装置の運転モードを、インターバルモード、除菌モード、リラックスモード、停止モードの順に切り替える。なお、上記のインターバルモードとは、上記の除菌モードと上記のリラックスモードとを交互に行うモードである。
【００８１】
イオン発生素子４１の制御回路は、運転モード切り替え回路にて把握された装置の運転モードに応じてイオン発生素子４１の駆動を制御する回路である。より具体的には、イオン発生素子４１の制御回路は、装置が除菌モードのときには、イオン発生素子４１にて正負両イオンが放出されるように、装置がリラックスモードのときには、イオン発生素子４１にて主に負イオンが放出されるように、イオン発生素子４１の高圧パルス駆動回路４６を駆動させる。
【００８２】
また、イオン発生素子４１の制御回路は、装置がインターバルモードのときには、イオン発生素子４１にて正負両イオンの放出と負イオンの放出とが交互に行われるように、イオン発生素子４１の高圧パルス駆動回路４６を駆動させる。また、イオン発生素子４１の制御回路は、装置が停止モードのときには、上記高圧パルス駆動回路４６の駆動を停止させて、イオン発生素子４１からのイオンの発生を停止させる。
【００８３】
送風機５１のＤＣモータの制御回路は、運転モード切り替え回路にて把握された装置の運転モードに応じて、送風機５１のＤＣモータの駆動を制御する回路である。より具体的には、ＤＣモータの制御回路は、装置がインターバルモード、除菌モードおよびリラックスモードのときには、ＤＣモータを回転させる一方、装置が停止モードのときにはＤＣモータを停止させる。
【００８４】
この制御基板６１は、本体２内では、筐体前部２ａおよび筐体後部２ｂに設けられた制御基板支持部２４・２５（図６（ａ）（ｂ）、図７（ｂ）参照）にて支持されている。制御基板支持部２４・２５は、それぞれ筐体前部２ａおよび筐体後部２ｂの内面から突出した断面Ｕ字型の立壁であり、その凹部に制御基板６１が挿入されることにより、制御基板６１が支持、固定される。なお、筐体後部２ｂに係止片とネジ穴とを設けておき、これに制御基板６１をネジ止めする構成であっても構わない。
【００８５】
以上のように、本体２の複数の分離筐体である筐体前部２ａおよび筐体後部２ｂの内面には、本体２内に収容される各構成部品、すなわち、表示基板３１、イオン発生素子４１、送風機５１および制御基板６１を係止し、筐体前部２ａと筐体後部２ｂとの貼り合わせによって各構成部品を本体２内で押さえて固定する部品固定部が形成されている。本実施形態の例で言えば、上記部品固定部は、表示基板支持部１８・１９、リブ２０・２１、立壁２２、モータ押え部２３、制御基板支持部２４・２５である。これにより、筐体前部２ａと筐体後部２ｂとを貼り合わせたときに、上記した各構成部品を本体２内で安定して収容することができる。また、ネジを使用せずに各構成部品を本体２内で固定して、装置を組み立てることができ、装置分解時の部品不良の発生も抑えることができる。さらには、装置のメンテナンスも容易となる。
【００８６】
また、本体２内には、図１１に示すように、イオン発生素子４１にて発生され、筐体後部２ｂの左右の側面（一対向面）に形成された各送出口１０から送出されるイオンの送出方向を調整するルーバー（送出方向調整手段）２７が設けられている。図１１は、本体２の上面（または下面）に水平な面で空気調整装置１を切ったときの、空気調整装置１の断面図である。このルーバー２７は、複数の羽を有しており、操作部１４での操作により自動で、もしくは手動により、各羽を上下または左右に傾けることができる構成となっている。
【００８７】
なお、本体２において、フロントパネル３の取り付け側が前、空気吸引側が後とすると、同図では、ルーバー２７の各羽がイオン送出方向を前後方向にのみ調整できるような図示の仕方となっているが、実際は、これに加えて上下方向（放電面に対して垂直方向）にも調整できる構成となっている。
【００８８】
また、手動で各羽を傾ける構成の場合は、本体２の各送出口１０の例えば上方または下方位置に、ルーバー２７の各羽の傾きを調整するための連通棒を装置外部に導くための開口を形成しておき、この連通棒を装置外部で操作することで、各羽の傾きを上下左右に調整することが可能である。
【００８９】
次に、空気調整装置１の組み立て方法の一例について、主に図５および図８に基づいて説明する。
【００９０】
まず、筐体後部２ｂの所定の位置にイオン発生素子４１および送風機５１を挿入する。このとき、イオン発生素子４１はリブ２０・２１（図７（ｂ）参照）により支持され、送風機５１は立壁２２（図７（ｂ）参照）により支持される。そして、筐体後部２ｂの背面のスタンド取り付け穴にスタンド４の一端を挿入し、筐体後部２ｂの内側からナットで固定する。
【００９１】
続いて、表示基板３１上に操作ボタン１５および表示部１６をかぶせるとともに、この表示基板３１と制御基板６１とにフラットケーブル７１を取り付け、表示基板３１と制御基板６１とを筐体後部２ｂの所定位置に挿入する。このとき、表示基板３１は、表示基板支持部１８・１９（図６（ａ）、図７（ｂ）参照）により支持され、制御基板６１は制御基板支持部２４・２５（図６（ａ）、図７（ｂ）参照）により支持される。また、表示基板３１と制御基板６１とは、フラットケーブル７１で機械的に接続されているので、表示基板３１および制御基板６１の上下方向の位置も固定される。
【００９２】
そして、筐体後部２ｂと筐体前部２ａとを貼り合わせて本体２を完成させ、最後に、フロントパネル３を本体２に取り付けることで、空気調整装置１が完成する。
【００９３】
次に、本発明の空気調整装置１の運転動作について説明する。
本空気調整装置１では、使用者が操作ボタン１５を１回押すごとに、インターバルモード、除菌モード、リラックスモード、停止モードの順に装置の運転モードが移り変わるようになっている。
【００９４】
すなわち、使用者が操作ボタン１５を１回押すと、表示基板３１からフラットケーブル７１を介して制御基板６１に信号が送信される。そして、制御基板６１での制御により、イオン発生素子４１および送風機５１が通電され、イオン発生素子４１はインターバルモードで駆動されるとともに、送風機５１のターボファンが回転する。これにより、イオン発生素子４１では、例えばＨ＋（Ｈ２Ｏ）ｍ（ｍは任意の自然数）からなる正イオンと、例えばＯ２−（Ｈ２Ｏ）ｎ（ｎは任意の自然数）からなる負イオンとがほぼ同量で発生する除菌モードと、負イオンのみが発生するリラックスモードとが繰り返される。
【００９５】
このとき、制御基板６１は、フラットケーブル７１を介して表示基板３１に信号を送信し、後述のように、表示基板３１の青色の発光ダイオード３３と緑色の発光ダイオード３３とを交互に点灯させる。なお、この交互点灯の詳細については後述する。
【００９６】
一方、送風機５１は、ターボファンの回転により、本体２の吸引口１１および送風機５１の吸引口を介して、装置外部から空気を吸引し、吸引した空気を送出口５３からイオン発生素子４１の放電面に略垂直方向から吹き当てる。これにより、イオン発生素子４１にて発生した正負両イオンまたは負イオンは、上記空気と混ざって上記放電面に沿って本体２の各送出口１０の方向に流れる。そして、各送出口１０付近に設けられたルーバー２７により、上記の正負両イオンまたは負イオンは、装置の前方約４５度の角度で装置外部に放出される。
【００９７】
続いて、使用者が操作ボタン１５を再度１回押すと、表示基板３１からフラットケーブル７１を介して制御基板６１に信号が送信され、制御基板６１での制御により、イオン発生素子４１が除菌モードで駆動される。これにより、イオン発生素子４１では、上述の正負両イオンが発生する。
【００９８】
このとき、制御基板６１は、フラットケーブル７１を介して表示基板３１に信号を送信し、表示基板３１の青色の発光ダイオード３３を点灯させる。イオン発生素子４１にて発生した正負両イオンは、送風機５１によって吹き付けられる空気と混ざって上記放電面に沿って本体２の各送出口１０の方向に流れ、ルーバー２７によって制御された方向に各送出口１０から放出される。
【００９９】
続いて、使用者が操作ボタン１５を再度１回押すと、表示基板３１からフラットケーブル７１を介して制御基板６１に信号が送信され、制御基板６１での制御により、イオン発生素子４１がリラックスモードで駆動される。これにより、イオン発生素子４１では、主に負イオンが発生する。
【０１００】
このとき、制御基板６１は、フラットケーブル７１を介して表示基板３１に信号を送信し、表示基板３１の緑色の発光ダイオード３３を点灯させる。イオン発生素子４１にて発生した負イオンは、送風機５１によって吹き付けられる空気と混ざって上記放電面に沿って本体２の各送出口１０の方向に流れ、ルーバー２７によって制御された方向に各送出口１０から放出される。
【０１０１】
そして、最後に、使用者が操作ボタン１５を再度１回押すと、表示基板３１からフラットケーブル７１を介して制御基板６１に信号が送信され、制御基板６１での制御により、イオン発生素子４１および送風機５１への通電が解除され、イオン発生素子４１および送風機５１の駆動が停止されるとともに、表示基板３１の発光ダイオード３３が消灯する。
【０１０２】
以上のように、本実施形態の空気調整装置１においては、イオン発生素子４１が、例えばＨ＋（Ｈ２Ｏ）ｍ（ｍは任意の自然数）からなる正イオンと、例えばＯ２−（Ｈ２Ｏ）ｎ（ｎは任意の自然数）からなる負イオンとを発生させ、これら両イオンを装置外部の空気中に放出する。すると、これら両イオンが空気中の浮遊細菌の表面に付着し、以下の式（１）〜（３）に示す化学反応を起こす。その結果、正負両イオンに起因して、活性種である過酸化水素（Ｈ２Ｏ２）または水酸基ラジカル（・ＯＨ）がそれぞれ生成される。なお、以下の式（１）〜式（３）において、ｍ、ｍ’、ｎ、ｎ’は任意の自然数である。
Ｈ＋（Ｈ２Ｏ）ｍ＋Ｏ２−（Ｈ２Ｏ）ｎ→・ＯＨ＋１／２Ｏ２＋（ｍ＋ｎ）Ｈ２Ｏ　・・・（１）
Ｈ＋（Ｈ２Ｏ）ｍ＋Ｈ＋（Ｈ２Ｏ）ｍ’＋Ｏ２−（Ｈ２Ｏ）ｎ＋Ｏ２−（Ｈ２Ｏ）ｎ’→２・ＯＨ＋Ｏ２＋　（ｍ＋ｍ’＋ｎ＋ｎ’）Ｈ２Ｏ　・・・（２）
Ｈ＋（Ｈ２Ｏ）ｍ＋Ｈ＋（Ｈ２Ｏ）ｍ’＋Ｏ２−（Ｈ２Ｏ）ｎ＋Ｏ２−（Ｈ２Ｏ）ｎ’→　Ｈ２Ｏ２＋Ｏ２＋　（ｍ＋ｍ’＋ｎ＋ｎ’）Ｈ２Ｏ　・・・（３）
【０１０３】
上記のＨ２Ｏ２または・ＯＨは、極めて強力な活性を示すため、これら活性種の分解作用によって浮遊細菌が破壊される。したがって、正負両イオンを発生させることにより、効率的に空気中の浮遊細菌を、不活化、除去することができる。
【０１０４】
また、上記式（１）〜式（３）は、空気中の有害物質表面でも同様に生じ、活性種である過酸化水素（Ｈ２Ｏ２）または水酸基ラジカル（・ＯＨ）が、ホルムアルデヒドやアンモニアなどの化学物質を、酸化若しくは分解して、二酸化炭素や、水、窒素などの無害な物質に変換する。これにより、空気中の有害物質を実質的に無害化することが可能である。
【０１０５】
また、正負両イオンには、インフルエンザウィルス、コクサッキーウィルスなどのウィルス類も不活化する働きがある。したがって、正負両イオンの発生により、これらウィルスを分解・除去して、ウィルスの混入による汚染を防止することができる。
【０１０６】
また、正負両イオンには、臭いの元となる分子を分解する働きがあることも確かめられている。したがって、正負両イオンの発生により、空間の脱臭を行うこともできる。
【０１０７】
また、本実施形態の空気調整装置１においては、イオン発生素子４１は、放電面での放電により正負両イオンを発生させるとともに、装置の運転モードに応じて、正イオンと負イオンとの発生量を調整している。すなわち、イオン発生素子４１は、装置が除菌モードの場合は、正負ほぼ同量のイオンを発生させる一方、装置がリラックスモードの場合は、正イオンよりも多い量の負イオンを発生させている。これにより、１台の空気調整装置１で、装置周囲の除菌効果と使用者のリラクゼーション効果とを併せて得ることができる。
【０１０８】
また、本実施形態の空気調整装置１においては、装置外部から空気を吸引するとともに、吸引した空気をイオン発生素子４１の放電面に供給する送風機５１が設けられている。これにより、イオン発生素子４１に供給される空気を、その放電面にて確実にイオン化することができる。また、イオン発生素子４１の放電面に空気を吹き付けることによって、上記放電面に略平行な方向に空気（イオン）の流れを作ることができ、放電面にて発生したイオンをその空気の流れに乗せて本体２の外部へ導くことができる。
【０１０９】
このことから、空気調整装置１は、装置外部から空気を吸引するとともに、吸引した空気をイオン発生素子４１の放電面に略垂直方向から供給し、正負両イオンを含んだ空気が放電面に対して略水平方向に吹き出される構成であると言える。
【０１１０】
このとき、送風機５１は、吸引した空気をイオン発生素子４１の放電面に対して略垂直方向から供給するので、放電時に発声する放電音は、放電面に対して略垂直方向（送風機５１からイオン発生素子４１への空気の供給方向とは逆方向）に伝達されることになり、上記放電面に沿った方向にはほとんど伝播されない。つまり、このことは、放電面にて発生したイオンの流れる方向には、放電音はほとんど伝播されないことを意味する。これにより、イオンの装置外部への放出とともに放電音が装置外部に漏れるのを抑えることができ、静音設計で快適な空間を創出することのできる空気調整装置１を提供することができる。
【０１１１】
また、空気調整装置１では、本体２の各送出口１０から送出される正負両イオンの送出方向を調整するルーバー２７が設けられているので、装置外部における所望の範囲に正負両イオンを放出することができる。例えば、筐体後部２ｂの側面に対してルーバー２７の羽を前方４５度に傾ければ、装置前方の半径約１メートルの範囲内に正負両イオンを放出することができる。これにより、その範囲内の空気中の浮遊細菌を効率的に不活化することができるとともに、その範囲内の空気中に含まれる有害物質を効率的に除去することができ、所望の範囲において快適な空間を効率的に創出することができる。
【０１１２】
この結果、部屋全体の空気の清浄化を目的とする装置に比べて、イオン発生素子４１を小型化したり、ＤＣモータも能力の小さい小型のもので構成することが可能となる。これにより、空気調整装置１自体を小型化することができ、また、持ち運びが便利な携帯型の空気調整装置１を提供することができる。
【０１１３】
また、ルーバー２７の各羽の傾きを調節することで、本体２内で発生した正負両イオンを、装置外部の全方位に放出することができる。これにより、装置の使用者の位置や使用方法などに応じて、正負両イオンの放出方向を自由に設定することができ、装置の使用性が向上する。
【０１１４】
また、上記したルーバー２７は、各羽の傾きを調整することで各送出口１０を開状態にしたり閉状態にしたりすることができる。このように、ルーバー２７が各送出口１０を開閉する送出口開閉手段としても機能することにより、装置の運転時には、ルーバー２７によって各送出口１０を開状態にすることにより、本体２からイオンを装置周囲に放出することができる。一方、装置の非運転時には、ルーバー２７によって各送出口１０を閉状態にすることにより、装置外部の空気が送出口１０を介して本体２内に侵入するのを防ぐことができる。これにより、空気中に含まれる有害物質等によって本体２内部が汚染されるのを防止することができ、本体２内部を常に清浄に保つことができる。
【０１１５】
なお、ルーバー２７に送出方向調整手段としての機能のみを持たせ、別の送出口開閉手段をルーバー２７とは別に設ける構成としても勿論構わない。
【０１１６】
ところで、本実施形態では、本体２にスタンド４（載置手段）を取り付けることで、卓上型の空気調整装置１を構成したが、図１２に示すように、断面Ｕ字状の支持部材２８（載置手段）を設け、この支持部材２８の凹部２８ａに本体２を挿入することで、卓上型の空気調整装置１を構成しても構わない。
【０１１７】
また、本実施形態では、卓上型の空気調整装置１について説明したが、本発明の空気調整装置１は、この卓上型に限定されるわけではない。本発明の空気調整装置１は、例えば図１３に示すように、本体２が支持部材２９（壁掛手段）を介して壁に掛けられる壁掛け型の空気調整装置１であってもよいし、図１４に示すように、本体が吊り紐３０（吊下手段）によって部屋の天井から吊り下げられる吊り下げ型の空気調整装置１であってもよい。このように壁掛け型や吊り下げ型で空気調整装置１を構成しても、上述した本発明の効果を得ることができる。
【０１１８】
以上のことから、本実施形態の空気調整装置１は、装置を卓上に載置する載置手段（例えばスタンド４、支持部材２８）、装置を壁に掛けるための壁掛手段（例えば支持部材２９）、装置を天井から吊り下げるための吊下手段（例えば吊り紐３０）のいずれかを備えている構成であるとも言える。
【０１１９】
また、本実施形態では、フロントパネル３をフォトフレームで構成した例について説明したが、これに限定されるわけではない。例えば、図１５に示すように、フロントパネル３を鏡面で構成するようにしてもよい。また、この他にも、フロントパネル３を、絵画、模様を施した化粧パネル、電子黒板、液晶表示装置（例えば時刻表示が可能なもの）、伝言板、ソーラーパネル、タッチパネルなどで構成してもよい。このように構成されるフロントパネル３を、装置の使用者のニーズに応じて互いに交換可能とすることにより、使用者のニーズ、さらには装置の用途に応じた商品展開が可能となる。つまり、フロントパネル３は、装置の使用者のニーズに応じて選択、使用できるものである。
【０１２０】
特に、フロントパネル３をソーラーパネルで構成した場合には、このソーラーパネルにて受電しながら、ソーラーパネルから本体２の各部に駆動電力を供給することができる。したがって、本体２に電池や充電池等の電源手段を設けたり、室内のＡＣコンセントから電源をとる必要がない。その結果、本体２の軽量化、部品点数減少による本体２の小型化、ひいては、装置自体の軽量化、小型化を実現することができる。
【０１２１】
また、図１６は、フロントパネル３をソーラーパネルで構成した空気調整装置１の側面図である。この構成の場合は、同図に示すように、フロントパネル３を本体２に対して回動可能に取り付けることが望ましい。この場合、装置の使用時には、フロントパネル３を任意の角度で開くことで、上方からの光を効率よく受光して電力を本体２に供給することができるので、装置を長時間安定して使用することができる。上記フロントパネル３を開く角度は、例えば空気調整装置１が卓上型、壁掛け型、吊り下げ型でそれぞれ異なり、また、部屋の中での空気調整装置１の位置により異なるので、装置の使用形態、使用位置に応じて、効率よく受電できるように適宜設定すればよい。
【０１２２】
また、フロントパネル３をタッチパネルで構成した場合には、このタッチパネルに操作ボタン１５の機能を持たせることで、本体２に対して取り外し可能なフロントパネル３をリモコン代わりに用いることができ、装置から離れた位置でも、装置をＯＮ／ＯＦＦすることができる。ただし、この場合は、タッチパネルからの信号を受信するセンサを本体２に設ける必要がある。
【０１２３】
次に、本発明の表示装置について説明する。
図１は、本発明の表示装置の概略の構成を示す説明図である。本表示装置は、同図に示すように、表示基板３１と、制御基板６１と、電源回路８１とを有して構成されている。電源回路８１は、例えば＋１２Ｖの電圧を出力する回路である。
【０１２４】
表示基板３１は、２系統の回路ブロックＰ１・Ｐ２と、これらの回路ブロックＰ１・Ｐ２を駆動するための駆動素子３４（駆動手段）とを有している。なお、駆動素子３４は、制御基板６１側に設けられてもよい。これら２系統の回路ブロックＰ１・Ｐ２は、機器の運転モードに対応して設けられる青色および緑色の発光ダイオード３３を点灯（発光、表示）させるためのブロックであり、これら両回路ブロックＰ１・Ｐ２はともに駆動素子３４を介して制御基板６１の制御部６２と接続されている。
【０１２５】
一方の回路ブロックＰ１には、表示素子としての青色の発光ダイオード３３（以下、ＬＥＤ３３Ｂと称する）と、抵抗Ｒ１１・Ｒ１２と、コンデンサＣ２１と、ダイオードＤ１とが設けられている。ＬＥＤ３３Ｂのアノード側は、抵抗Ｒ１１の一端と接続されており、そのカソード側は、ダイオードＤ１のアノード側に接続されているとともに、駆動素子３４に接続されている。また、ダイオードＤ１のカソード側も、駆動素子３４に接続されている。
【０１２６】
また、抵抗Ｒ１１の他端（ＬＥＤ３３Ｂの接続側とは反対側）は、抵抗Ｒ１２の一端と接続されているとともに、コンデンサＣ２１の一端と接続されている。コンデンサＣ２１の他端は、ダイオードＤ１のカソード側と接続されているとともに、駆動素子３４と接続されている。抵抗Ｒ１２の他端（抵抗Ｒ１１の接続側とは反対側）は、電源回路８１に接続されている。
【０１２７】
また、他方の回路ブロックＰ２も、上記の回路ブロックＰ１と全く同様の構成である。すなわち、回路ブロックＰ２には、表示素子としての緑色の発光ダイオード３３（以下、ＬＥＤ３３Ｇと称する）と、抵抗Ｒ１３・Ｒ１４と、コンデンサＣ２２と、ダイオードＤ２とが設けられている。ＬＥＤ３３Ｇのアノード側は、抵抗Ｒ１３の一端と接続されており、そのカソード側は、ダイオードＤ２のアノード側に接続されているとともに、駆動素子３４に接続されている。また、ダイオードＤ２のカソード側も、駆動素子３４に接続されている。
【０１２８】
また、抵抗Ｒ１３の他端（ＬＥＤ３３Ｇの接続側とは反対側）は、抵抗Ｒ１４の一端と接続されているとともに、コンデンサＣ２２の一端と接続されている。コンデンサＣ２２の他端は、ダイオードＤ２のカソード側と接続されているとともに、駆動素子３４と接続されている。抵抗Ｒ１４の他端（抵抗Ｒ１３の接続側とは反対側）は、電源回路８１に接続されている。
【０１２９】
制御部６２は、ＬＥＤ３３Ｂ・ＬＥＤ３３Ｇの表示、すなわち発光をＯＮ／ＯＦＦするための制御信号を生成し、生成した制御信号に基づいて駆動素子３４を制御するものであり、例えばマイクロコンピュータで構成される。より具体的には、制御部６２は、オープンドレインとなっている４つの出力ポートＰ１１・Ｐ１２・Ｄ１１・Ｄ１２を有しており、生成した上記制御信号に基づいて、後述のように各出力ポートのＯＮ／ＯＦＦを制御することで駆動素子３４を制御している。
【０１３０】
駆動素子３４は、制御部６２の各出力ポートのＯＮ／ＯＦＦに基づいて、表示素子であるＬＥＤ３３Ｂ・ＬＥＤ３３Ｇを駆動するものであり、本実施形態では、Ｌｏｗアクティブ、Ｌｏｗ出力のトランジスタアレイで構成されている。
【０１３１】
ここで、図１７は、制御部６２が生成する複数パターンの制御信号の波形を示している。同図に示すように、制御部６２は、デューティ比の異なる複数の制御信号を生成している。なお、上記のデューティ比とは、所定時間（例えば９．６ｍｓｅｃ）内における表示素子のＯＮ時間とＯＦＦ時間との比を示すものである。
【０１３２】
本実施形態では、制御部６２は、デューティ比の異なる複数の制御信号を、輝度０から輝度２０に対応して２１個生成している。これら２１個の制御信号のうち、輝度０に対応する制御信号は、上記所定時間内における表示素子のＯＮ時間がゼロ、すなわち、デューティ比がゼロとなる制御信号であり、輝度２０に対応する制御信号は、上記所定時間内における表示素子のＯＦＦ時間がゼロ、すなわち、デューティ比が無限大となる制御信号である。そして、輝度０に対応する制御信号を基準として、上記所定時間内における表示素子のＯＮ時間を、９．６ｍｓｅｃ／２０＝０．４８ｍｓｅｃずつ増加させた制御信号を、それぞれ輝度１から輝度２０に対応する制御信号としている。
【０１３３】
制御部６２は、これら２１個の制御信号の中から、入力部としての操作ボタン１５から入力指示された運転モードに応じて、ＬＥＤ３３ＢおよびＬＥＤ３３Ｇを駆動するのに適切な制御信号を順次選択し、選択した制御信号に基づいて各出力ポートをＯＮ／ＯＦＦ制御する。より具体的には、制御部６２は、図１７の各制御信号において、ハイレベルのときは、出力ポートをＯＮ（本実施形態ではＬｏｗ状態）にする一方、ローレベルのときは、出力ポートをＯＦＦ（本実施形態ではオープン）にする。
【０１３４】
なお、図１７では、各制御信号の波形における立ち上がりのタイミング（表示素子のＯＮタイミング）を、各制御信号間で全て同じにしているが、上記所定時間内における表示素子のＯＮ時間（ハイレベルとなっている時間）が、それぞれの輝度に対応して確保できていれば、上記立ち上がりタイミングは、上記所定時間内でずれていても構わない。また、デューティ比の異なる制御信号の数は、上記の２１個に限定されるわけではなく、これよりも増減させることも勿論可能である。
【０１３５】
次に、上記構成の表示装置における動作について、図１、図１７および図１８のフローチャートに基づいて説明する。
【０１３６】
まず、制御部６２は、操作ボタン１５から入力指示された機器の運転モードが、インターバルモードであるか否かを判断する（Ｓ１）。Ｓ１にて、インターバルモードでなければ、次に、制御部６２は、入力指示された運転モードが除菌モードであるか否かを判断する（Ｓ２）。
【０１３７】
Ｓ２にて、除菌モードであれば、制御部６２は、３つの出力ポートＰ１１・Ｐ１２・Ｄ１２をオープン（ＯＦＦ）状態に保ったまま（Ｓ３）、出力ポートＤ１１をＬｏｗ（ＯＮ）状態にする（Ｓ４）。すると、この状態では、電源回路８１→抵抗Ｒ１２→抵抗Ｒ１１→ＬＥＤ３３Ｂ→駆動素子３４→出力ポートＤ１１と電流が流れ、ＬＥＤ３３Ｂが点灯する。一方、制御部６２の出力ポートＰ１２・Ｄ１２がオープン状態なので、表示基板３１の回路ブロックＰ２のＬＥＤ３３Ｇには電流は流れず、ＬＥＤ３３Ｇは消灯したままである。
【０１３８】
次に、制御部６２は、除菌モードが解除されたか、つまり、機器の運転モードが他の運転モードに変更されたか否かを判断し（Ｓ５）、除菌モードが解除されていなければ、Ｓ３、Ｓ４の動作を繰り返す。一方、Ｓ５にて、除菌モードが解除されていれば、制御部６２は、出力ポートＤ１１をオープン状態にし、ＬＥＤ３３Ｂを消灯させる（Ｓ６）。その後は、Ｓ１に移行する。
【０１３９】
一方、Ｓ２にて、除菌モードでなければ、制御部６２は、操作ボタン１５から入力指示された運転モードが、リラックスモードであるか否かを判断する（Ｓ７）。Ｓ７にて、リラックスモードでなければ、制御部６２は、入力指示された運転モードが停止モードであると判断し、全ての出力ポートＰ１１・Ｐ１２・Ｄ１１・Ｄ１２をオープン状態にする（Ｓ８）。これにより、ＬＥＤ３３Ｂ・ＬＥＤ３３Ｇには電流が流れないので、ＬＥＤ３３Ｂ・ＬＥＤ３３Ｇは、消灯を保ったままとなる。その後は、Ｓ１に移行する。
【０１４０】
一方、Ｓ７にて、リラックスモードであれば、制御部６２は、３つの出力ポートＰ１１・Ｐ１２・Ｄ１１をオープン状態に保ったまま（Ｓ９）、出力ポートＤ１２をＬｏｗ状態にする（Ｓ１０）。すると、この状態では、電源回路８１→抵抗Ｒ１４→抵抗Ｒ１３→ＬＥＤ３３Ｇ→駆動素子３４→出力ポートＤ１２と電流が流れ、ＬＥＤ３３Ｇが点灯する。一方、制御部６２の出力ポートＰ１１・Ｄ１１がオープン状態なので、表示基板３１の回路ブロックＰ１のＬＥＤ３３Ｂには電流は流れず、ＬＥＤ３３Ｂは消灯したままである。
【０１４１】
次に、制御部６２は、リラックスモードが解除されたか、つまり、機器の運転モードが他の運転モードに変更されたか否かを判断し（Ｓ１１）、リラックスモードが解除されていなければ、Ｓ９、Ｓ１０の動作を繰り返す。一方、Ｓ１１にて、リラックスモードが解除されていれば、制御部６２は、出力ポートＤ１２をオープン状態にし、ＬＥＤ３３Ｇを消灯させる（Ｓ１２）。その後は、Ｓ１に移行する。
【０１４２】
一方、Ｓ１にて、インターバルモードであれば、制御部６２は、２つの出力ポートＤ１１・Ｄ１２をオープン状態に保ったまま（Ｓ１３）、出力ポートＰ１１・Ｐ１２を、ＬＥＤ３３Ｂ・３３Ｇに対応する制御信号に基づいてそれぞれＯＮ（Ｌｏｗ状態）／ＯＦＦ（オープン状態）制御する（Ｓ１４）。
【０１４３】
本実施形態では、このＳ１３、Ｓ１４において、制御部６２は、各ＬＥＤ３３Ｂ・３３Ｇの表示輝度の和が常に一定となるように、ＬＥＤ３３Ｂ・３３Ｇに対応する制御信号を生成し、これらの制御信号に基づいて、各出力ポートＰ１１・Ｐ１２・Ｄ１１・Ｄ１２のＯＮ／ＯＦＦを制御しているが、この点については後述する。
【０１４４】
その後、制御部６２は、インターバルモードが解除されたか、つまり、運転モードが他の運転モードに変更されたか否かを判断し（Ｓ１５）、インターバルモードモードが解除されていなければ、Ｓ１３、Ｓ１４の動作を繰り返す。一方、Ｓ１５にて、インターバルモードが解除されていれば、制御部６２は、出力ポートＰ１１・Ｐ１２をオープン状態にし、ＬＥＤ３３ＢまたはＬＥＤ３３Ｇを消灯させる（Ｓ１６）。その後は、Ｓ１に移行する。
【０１４５】
次に、Ｓ１３、Ｓ１４における動作の詳細について説明する。
まず、各出力ポートＤ１１がオープン状態で、出力ポートＰ１１がＬｏｗ状態のとき、表示基板３１の回路ブロックＰ１においては、出力ポートＰ１１がＬｏｗ状態になっている時間だけ、電源回路８１→抵抗Ｒ１２→抵抗Ｒ１１→ＬＥＤ３３Ｂ→ダイオードＤ１→Ｐ１１と電流が流れ、ＬＥＤ３３Ｂが点灯する。
【０１４６】
また、これと同時に、出力ポートＰ１１がＬｏｗ状態になっている時間だけ、コンデンサＣ２１が充電されるので、次に出力ポートＰ１１がオープン状態になったとしても、コンデンサＣ２１の＋側→抵抗Ｒ１１→ＬＥＤ３３Ｂ→ダイオードＤ１→コンデンサＣ２１の−側と電流が流れる。このため、ＬＥＤ３３Ｂは、すぐには消灯しない。
【０１４７】
このような前提のもとで、制御部６２は、出力ポートＰ１１をＬｏｗ状態にする時間を徐々に延ばしていく。すなわち、制御部６２は、デューティ比が所定時間ごとに昇順になるような、ＬＥＤ３３Ｂに対応する制御信号を順に選択し、選択した制御信号に基づいて駆動素子３４を制御する。つまり、制御部６２は、図１７に示した複数の制御信号のうち、輝度０に対応する制御信号から輝度２０に対応する制御信号までをこの順で選択し、選択した制御信号のＯＮ時間（ハイレベルとなっている時間）だけ、出力ポートＰ１１をＬｏｗ状態にし、選択した上記制御信号のＯＦＦ時間（ローレベルとなっている時間）だけ、出力ポートＰ１１をオープン状態にし、駆動素子３４の駆動を制御する。
【０１４８】
これにより、駆動素子３４がこの出力ポートＰ１１の状態に基づいてＬＥＤ３３Ｂを駆動したときには、ＬＥＤ３３Ｂを流れる電流が時間経過とともに徐々に増加するので、ＬＥＤ３３Ｂの表示輝度は、時間経過とともに連続的に暗から明へと変化する。
【０１４９】
そして、制御部６２は、輝度２０に対応する制御信号のＯＮ時間だけ出力ポートＰ１１をＬｏｗ状態にした後は、今度は、デューティ比が所定時間ごとに降順となるような、ＬＥＤ３３Ｂに対応する制御信号を順に選択し、選択した制御信号に基づいて駆動素子３４を制御する。つまり、制御部６２は、輝度１９に対応する制御信号から輝度０に対応する制御信号までをこの順で選択し、選択した制御信号のＯＮ時間だけ、出力ポートＰ１１をＬｏｗ状態にし、選択した上記制御信号のＯＦＦ時間だけ、出力ポートＰ１１をオープン状態にし、駆動素子３４の駆動を制御する。
【０１５０】
これにより、駆動素子３４がこの出力ポートＰ１１の状態に基づいてＬＥＤ３３Ｂを駆動したときには、ＬＥＤ３３Ｂを流れる電流が時間経過とともに徐々に減少するので、ＬＥＤ３３Ｂの表示輝度は、時間経過とともに連続的に明から暗へと変化する。
【０１５１】
その後、制御部６２は、以上の動作を繰り返す。つまり、制御部６２は、輝度０→輝度２０→輝度０→輝度２０・・・のように、デューティ比が所定時間ごとに昇順と降順とを繰り返して変化するような、ＬＥＤ３３Ｂに対応する制御信号を順に選択し、選択した制御信号に基づいて駆動素子３４を制御する。これにより、ＬＥＤ３３Ｂの表示輝度は、図１９（ａ）の実線Ｂ１で示すように、時間経過とともに連続的に暗→明→暗→明・・・と連続的に徐々に変化する。
【０１５２】
一方、出力ポートＤ１２がオープン状態で、出力ポートＰ１２がＬｏｗ状態のとき、表示基板３１の回路ブロックＰ２においては、出力ポートＰ１２がＬｏｗ状態になっている時間だけ、電源回路８１→抵抗Ｒ１４→抵抗Ｒ１３→ＬＥＤ３３Ｇ→ダイオードＤ２→Ｐ１２と電流が流れ、ＬＥＤ３３Ｇが点灯する。
【０１５３】
また、これと同時に、出力ポートＰ１２がＬｏｗ状態になっている時間だけ、コンデンサＣ２２が充電されるので、次に出力ポートＰ１２がオープン状態になったとしても、コンデンサＣ２２の＋側→抵抗Ｒ１３→ＬＥＤ３３Ｇ→ダイオードＤ２→コンデンサＣ２２の−側と電流が流れる。このため、ＬＥＤ３３Ｇは、すぐには消灯しない。
【０１５４】
このような前提のもとで、制御部６２は、出力ポートＰ１２をＬｏｗ状態にする時間を徐々に減らしていく。すなわち、制御部６２は、デューティ比が所定時間ごとに降順になるような、ＬＥＤ３３Ｇに対応する制御信号を順に選択し、選択した制御信号に基づいて駆動素子３４を制御する。つまり、制御部６２は、図１７に示した複数の制御信号のうち、輝度２０に対応する制御信号から輝度０に対応する制御信号までをこの順で選択し、選択した制御信号のＯＮ時間だけ、出力ポートＰ１２をＬｏｗ状態にし、選択した制御信号のＯＦＦ時間だけ、出力ポートＰ１２をオープン状態にし、駆動素子３４の駆動を制御する。
【０１５５】
これにより、駆動素子３４がこの出力ポートＰ１２の状態に基づいてＬＥＤ３３Ｇを駆動したときには、ＬＥＤ３３Ｇを流れる電流が時間経過とともに徐々に減少するので、ＬＥＤ３３Ｇの表示輝度は、時間経過とともに連続的に明から暗へと変化する。
【０１５６】
そして、制御部６２は、輝度０に対応する制御信号のＯＮ時間だけ出力ポートＰ１２をＬｏｗ状態（輝度０に対応する制御信号のＯＦＦ時間だけ出力ポートＰ１２をオープン状態）にした後は、今度は、デューティ比が所定時間ごとに昇順となるような、ＬＥＤ３３Ｇに対応する制御信号を順に選択し、選択した制御信号に基づいて駆動素子３４を制御する。つまり、制御部６２は、輝度１に対応する制御信号から輝度２０に対応する制御信号までをこの順で選択し、選択した制御信号のＯＮ時間だけ、出力ポートＰ１２をＬｏｗ状態にし、選択した上記制御信号のＯＦＦ時間だけ、出力ポートＰ１２をオープン状態にし、駆動素子３４の駆動を制御する。
【０１５７】
これにより、駆動素子３４がこの出力ポートＰ１２の状態に基づいてＬＥＤ３３Ｇを駆動したときには、ＬＥＤ３３Ｇを流れる電流が時間経過とともに徐々に増加するので、ＬＥＤ３３Ｇの表示輝度は、時間経過とともに連続的に暗から明へと変化する。
【０１５８】
その後、制御部６２は、以上の動作を繰り返す。つまり、制御部６２は、輝度２０→輝度０→輝度２０→輝度０・・・のように、デューティ比が所定時間ごとに降順と昇順とを繰り返して変化するような、ＬＥＤ３３Ｇに対応する制御信号を順に選択し、選択した制御信号に基づいて駆動素子３４を制御する。これにより、ＬＥＤ３３Ｇの表示輝度は、図１９（ａ）の破線Ｇ１で示すように、時間経過とともに連続的に明→暗→明→暗・・・と連続的に徐々に変化する。
【０１５９】
以上のように、本発明の表示装置は、機器としての空気調整装置１の運転モードに応じた表示を行うＬＥＤ３３Ｂ・３３Ｇと、複数の出力ポートＰ１１・Ｐ１２・Ｄ１１・Ｄ１２を有しているとともに、ＬＥＤ３３Ｂ・３３Ｇの表示をＯＮ／ＯＦＦするための制御信号を生成し、生成した制御信号に基づいて各出力ポートＰ１１・Ｐ１２・Ｄ１１・Ｄ１２のＯＮ／ＯＦＦを制御する制御部６２と、制御部６２における各出力ポートＰ１１・Ｐ１２・Ｄ１１・Ｄ１２のＯＮ／ＯＦＦ状態に基づいて、ＬＥＤ３３Ｂ・３３Ｇを駆動する駆動素子３４とを備え、制御部６２は、所定時間（例えば９．６ｍｓｅｃ）内におけるＬＥＤ３３Ｂ・３３ＧのＯＮ時間とＯＦＦ時間との比を示すデューティ比の異なる複数の制御信号を生成するとともに、上記デューティ比が上記所定時間ごとに昇順と降順とを繰り返して変化するように、上記複数の制御信号の中から所定のデューティ比の制御信号を順次選択し、選択した制御信号に基づいて各出力ポートＰ１１・Ｐ１２・Ｄ１１・Ｄ１２のＯＮ／ＯＦＦを制御する構成である。
【０１６０】
これにより、駆動素子３４が制御部６２の各出力ポートＰ１１・Ｐ１２・Ｄ１１・Ｄ１２のＯＮ／ＯＦＦ状態に基づいてＬＥＤ３３Ｂ・３３Ｇを駆動したときには、ＬＥＤ３３Ｂ・３３Ｇにおける表示輝度が、時間経過とともにそれぞれ徐々に明るくなったり、徐々に暗くなったりするようになる。そして、ＬＥＤ３３Ｂ・３３Ｇにおいては、このような表示輝度の変化が、明→暗→明→暗・・・と、繰り返し連続して行われる。したがって、表示輝度が徐々に変化するようなＬＥＤ３３Ｂ・３３Ｇを見る人間に、気分を和らげる快いリラクゼーション効果を与えることができる。
【０１６１】
以上のような作用効果を奏することから、本発明の表示装置は、機器の運転モードに応じた表示を行うＬＥＤ３３Ｂ・３３Ｇと、ＬＥＤ３３Ｂ・３３Ｇを駆動するための駆動素子３４と、ＬＥＤ３３Ｂ・３３Ｇの表示をＯＮ／ＯＦＦするための制御信号を生成し、生成した制御信号に基づいて駆動素子３４を制御する制御部６２とを備え、制御部６２は、所定時間内におけるＬＥＤ３３Ｂ・３３ＧのＯＮ時間とＯＦＦ時間との比を示すデューティ比が上記所定時間ごとに昇順と降順とを繰り返して変化するような制御信号を生成し、生成した制御信号に基づいて駆動素子３４を制御する構成であるとも言える。
【０１６２】
また、制御部６２は、ＬＥＤ３３Ｂ・３３Ｇの表示輝度が時間経過とともに連続的に変化するような制御信号を生成し、生成した制御信号に基づいて駆動素子３４を制御する構成であるとも言える。
【０１６３】
また、本発明の表示装置では、表示素子の表示輝度が徐々に変化するので、そのような表示装置を備えた空気調整装置１を室内に置いて駆動すれば、視覚的なインテリア効果を得ることもでき、より快適な室内環境を創出することもできる。
【０１６４】
また、本実施形態では、機器の運転モードが除菌モードとリラックスモードとで交互に切り替わるインターバルモードにおいて、制御部６２は、一方の表示素子（例えばＬＥＤ３３Ｂ）に対応する制御信号と、他方の表示素子（例えばＬＥＤ３３Ｇ）に対応する制御信号とで、上記デューティ比が上記所定時間ごとに互いに逆順で変化し、かつ、上記所定時間内におけるＯＮ時間が同一の時間差（上記の例では０．４８ｍｓｅｃ）で変化するように、各表示素子に対応する制御信号を生成（選択）し、生成（選択）した各制御信号に基づいて各出力ポートのＯＮ／ＯＦＦを制御している。これにより、駆動素子３４が上記各出力ポートのＯＮ／ＯＦＦ状態に基づいてＬＥＤ３３Ｂ・３３Ｇを駆動したときには、ＬＥＤ３３Ｂ・３３Ｇの表示輝度の和が常に一定となる。
【０１６５】
つまり、本実施形態では、制御部６２の上記制御により、ＬＥＤ３３Ｂの表示輝度は、所定時間ごとに０、１、２、・・・２０と連続的に変化する一方、ＬＥＤ３３Ｇの表示輝度は、所定時間ごとに２０、１９、１８、・・・０と変化するので、どの所定時間においても、ＬＥＤ３３Ｂ・３３Ｇの表示輝度の和は、この例では２０と一定である。これにより、全体的な表示輝度を一定に保ったまま、ＬＥＤ３３ＢおよびＬＥＤ３３Ｇの各々の表示輝度を連続的に変化させながら、ＬＥＤ３３Ｂ・３３Ｇをバランスよく交互に点滅させることができる。言い換えれば、ＬＥＤ３３ＢとＬＥＤ３３Ｇとの間で、各表示を重複させつつ、滑らかな表示の移り変わりを実現することができる。
【０１６６】
このことから、制御部６２は、機器の運転モードが除菌モードとリラックスモードとで交互に切り替わる運転状態において、ＬＥＤ３３Ｂ・３３Ｇの表示輝度の和が一定となるように、各ＬＥＤ３３Ｂ・３３Ｇに対応する制御信号をそれぞれ生成（選択）していると言える。
【０１６７】
ところで、機器の運転モードが除菌モードとリラックスモードとで交互に切り替わる運転状態においては、ＬＥＤ３３Ｂ・３３Ｇの表示輝度の和がゼロよりも大きければ、ＬＥＤ３３Ｂ・３３Ｇの表示輝度の和は一定でなくても構わない。つまり、図１９（ａ）では、時間経過に伴うＬＥＤ３３Ｂ・３３Ｇの表示輝度の変化を示す実線Ｂ１、破線Ｇ１の曲線の波形が、互いに半周期だけずれた状態となっているが、例えば１／２周期や１／４周期など、所定周期だけずれるように、制御部６２が各ＬＥＤ３３Ｂ・３３Ｇに対応する制御信号をそれぞれ生成（選択）する構成であっても構わない。この場合であっても、ＬＥＤ３３ＢおよびＬＥＤ３３Ｇの各々の表示輝度を連続的に変化させながら、ＬＥＤ３３Ｂ・３３Ｇを交互に点滅させることができ、ＬＥＤ３３ＢとＬＥＤ３３Ｇとの間で、表示を重複させながら滑らかな表示の移り変わりを実現できることに変わりはない。
【０１６８】
以上のことから、本発明の表示装置は、表示素子が機器の運転モードに対応して複数設けられており、制御部６２は、上記運転モードが交互に切り替わる運転状態において、各表示素子における表示輝度の和がゼロよりも大きくなるように（各表示素子における表示が重複するように）、各表示素子に対応する制御信号を生成する構成であるとも言える。
【０１６９】
ところで、本発明の表示装置においては、図１９（ｂ）に示すように、制御部６２は、機器の運転モードが交互に切り替わる運転状態において、各表示素子（ＬＥＤ３３ＢおよびＬＥＤ３３Ｇ）における表示輝度の和がゼロとなる時点が存在するように、各表示素子に対応する制御信号を生成する構成であってもよい。言い換えれば、制御部６２は、機器の運転モードが交互に切り替わる運転状態において、一方の表示素子における表示が終了した後に、他方の表示素子における表示が開始されるように、各表示素子に対応する制御信号を生成する構成であってもよい。これらの場合、ＬＥＤ３３Ｂ・ＬＥＤ３３Ｇにおける時間経過に伴う輝度変化は、例えば図１９（ｂ）の実線Ｂ２、破線Ｇ２のようにそれぞれ示される。
【０１７０】
このような構成であっても、各表示素子の表示輝度を連続的に変化させながら、ＬＥＤ３３Ｂ・３３Ｇをバランスよく交互に点滅させることができることに変わりはない。
【０１７１】
また、本発明の表示装置においては、機器の運転開始からの時間を計時する計時手段（例えば制御部６２）をさらに備え、制御手段としての制御部６２は、上記計時手段での計時に基づいて運転開始から一定時間を経過したと判断した場合には、少なくとも１個の表示素子を同一の最大輝度と同一の最小輝度との繰り返しで点滅表示させる制御信号を生成し、生成した制御信号に基づいて駆動素子３４を制御する構成であってもよい。この場合、駆動素子３４の駆動により、運転開始から一定時間経過後は、上記表示素子における同一の最大輝度と同一の最小輝度との繰り返しによる点滅表示が行われる。したがって、本発明の表示装置はタイマー機能も有することになり、上記点滅表示によって、運転開始から所定時間経過したことを使用者に警告することができる。
【０１７２】
また、上記構成に加えて、制御手段としての制御部６２は、機器の運転モードが交互に切り替わる運転状態で運転開始から一定時間を経過したと判断した場合には、２個の表示素子を同一の最大輝度と同一の最小輝度との繰り返しで交互に点滅させる制御信号を生成し、生成した制御信号に基づいて駆動素子３４を制御する構成であってもよい。これにより、運転開始から所定時間経過後は、２個の表示素子が同一の最大輝度と同一の最小輝度との繰り返しで交互に点滅するので、運転開始から所定時間経過したことを、より確実に使用者に警告することができる。
【０１７３】
なお、本実施形態では、インターバルモードにおいてのみ、ＬＥＤ３３Ｂ・３３Ｇの表示輝度を徐々に変化させる構成としたが、除菌モード単独の場合やリラックスモード単独の場合でも、ＬＥＤ３３ＢまたはＬＥＤ３３Ｇの表示輝度を徐々に変化させる構成としても構わない。
【０１７４】
なお、本実施形態では、本発明の表示装置を、イオン発生素子４１を搭載した空気調整装置に適用した例について説明したが、これに限定されるわけではない。本表示装置は、機器の運転モードに応じた表示を必要とする機器であれば、どのような機器にも適用することができる。例えば、本発明の表示装置を空気調和器（エアーコンディショナー）に適用すれば、本体の冷房表示（例えば赤色表示）の表示輝度を、時間経過とともに連続的に変化させることができる。また、冷房と除湿とを交互に運転する場合においては、冷房表示と除湿表示（例えば緑色）とを、各表示輝度を連続的に変化させながら、交互に表示させることができる。
【０１７５】
なお、本実施形態では、表示素子として、ＬＥＤを用いているが、その他、ＬＤ（レーザダイオード）、ＥＬ（エレクトロルミネッセンス）などの自発光型の素子などを用いることもできる。
【０１７６】
なお、本実施形態では、表示素子として、２個のＬＥＤ３３Ｂ・３３Ｇを用いているが、機器の運転モードに応じた表示を行うことができればよく、１個であっても、３個以上であっても構わない。
【０１７７】
また、本実施形態では、表示基板３１を２系統の回路ブロックで構成しているが、機器の運転モードに応じた表示を行うことができればよく、１系統の回路ブロックであっても、あるいは３系統以上の回路ブロックで構成しても構わない。
【０１７８】
なお、本実施形態では、装置の運転モードとして、インターバルモード、除菌モード、リラックスモード、停止モードを挙げたが、例えば、除菌モードと停止モードとを交互に行う除菌間欠モードや、リラックスモードと停止モードとを交互に行うリラックス間欠モードを加えるようにしてもよい。
【０１７９】
【発明の効果】
本発明の表示装置によれば、制御手段は、表示素子のＯＮ時間が所定時間ごとに徐々に長くなったり、所定時間ごとに徐々に短くなったりするような制御信号を上記所定時間ごとに繰り返して生成し、上記制御信号に基づいて駆動手段を制御する。これにより、駆動手段は、表示輝度が時間経過とともに徐々に明るくなったり、徐々に暗くなったりするように表示素子を駆動する。そして、表示素子においては、このような表示輝度の変化が繰り返し連続して行われる。よって、そのような表示素子を見る人間に、気分を和らげる快いリラクゼーション効果を与えることができるという効果を奏する。
【０１８０】
また、制御手段が、上記デューティ比の異なる複数の制御信号を生成するとともに、上記デューティ比が上記所定時間ごとに昇順と降順とを繰り返して変化するように、生成した複数の制御信号の中から所定のデューティ比の制御信号を順次選択し、選択した制御信号に基づいて、制御手段の各出力ポートのＯＮ／ＯＦＦを制御する一方、駆動手段が、上記各出力ポートのＯＮ／ＯＦＦ状態に基づいて、少なくとも１個の表示素子を駆動する構成であっても、上記表示素子における表示輝度が時間経過とともに徐々に変化することに変わりはなく、上記と同様にリラクゼーション効果を得ることができるという効果を奏する。
【０１８１】
また、本発明の表示装置と、運転モードを指示するための入力部とで空気調整装置を構成すれば、そのような空気調整装置の運転モードごとに、表示輝度が時間経過とともに徐々に変化するような表示を実現することができる。その結果、空気調整による効果（例えば負イオン放出によるリラクゼーション効果）に加えて、視覚によるリラクゼーション効果を得ることもでき、装置全体としてリラクゼーション効果を高めることができるという効果を奏する。
【図面の簡単な説明】
【図１】本発明の表示装置の概略の構成を示す説明図である。
【図２】（ａ）は、上記表示装置を備えた卓上型の上記空気調整装置の前方側から見たときの外観を示す斜視図であり、（ｂ）は、上記空気調整装置の正面図である。
【図３】（ａ）は、上記空気調整装置の右側面側から見たときの外観を示す斜視図であり、（ｂ）は、上記空気調整装置の後方側から見たときの外観を示す斜視図である。
【図４】上記空気調整装置の本体の外観を示す斜視図である。
【図５】上記空気調整装置の概略の構成を示す分解斜視図である。
【図６】（ａ）は、上記本体を構成する筐体前部の概略の構成を示す平面図であり、（ｂ）は、同図（ａ）の筐体前部におけるＡ−Ａ´線矢視断面図である。
【図７】（ａ）は、上記本体を構成する同図（ｂ）の筐体後部におけるＢ−Ｂ´線矢視断面図であり、（ｂ）は、上記筐体後部の概略の構成を示す平面図である。
【図８】上記本体の内部の詳細な構成を示す斜視図である。
【図９】上記本体内部に収容されるイオン発生素子の概略の構成を示す斜視図である。
【図１０】（ａ）は、装置が除菌モードで駆動される場合の、上記イオン発生素子の高圧パルス駆動回路が出力する高圧パルスの一例を示す波形図であり、（ｂ）は、装置がリラックスモードで駆動される場合の上記高圧パルス駆動回路が出力する高圧パルスの一例を示す波形図である。
【図１１】上記本体の上面（または下面）に水平な面で上記空気調整装置を切ったときの、当該空気調整装置の断面図である。
【図１２】卓上型の上記空気調整装置の他の構成例を示す説明図である。
【図１３】本発明の空気調整装置を壁掛け型で構成した場合の構成例を示す説明図である。
【図１４】本発明の空気調整装置を吊り下げ型で構成した場合の構成例を示す説明図である。
【図１５】卓上型の上記空気調整装置のフロントパネルを鏡面で構成した場合の当該空気調整装置の外観を示す斜視図である。
【図１６】卓上型の上記空気調整装置のフロントパネルをソーラーパネルで構成した場合の当該空気調整装置の使用状態の一例を示す説明図である。
【図１７】上記表示装置の制御部が生成する複数の制御信号の波形を示す波形図である。
【図１８】上記表示装置における動作の流れを示すフローチャートである。
【図１９】（ａ）は、上記表示装置が備える２個の表示素子の時間経過に伴う表示輝度の変化をそれぞれ示すグラフであり、各表示素子に対応する制御信号間で、デューティ比が互いに逆順で変化し、かつ、ＯＮ時間が同一の時間差で変化する場合のグラフである。（ｂ）は、上記表示装置が備える２個の表示素子の時間経過に伴う表示輝度の変化をそれぞれ示すグラフであり、各表示素子の表示輝度の和がゼロとなる時点が存在する場合のグラフである。
【図２０】従来における、表示装置を有する空気調和器の制御装置の概略の構成を示す説明図である。
【図２１】従来の表示制御回路の概略の構成を示すブロック図である。
【符号の説明】
１　　空気調整装置
１５　　操作ボタン（入力部）
３１　　表示基板（表示装置）
３３　　発光ダイオード（表示素子）
３３Ｂ　青色発光ダイオード（表示素子）
３３Ｇ　緑色発光ダイオード（表示素子）
３４　　駆動素子（駆動手段）
６１　　制御基板（表示装置）
６２　　制御部（制御手段）
【図１】
2004109620.tif 000003
【図２】
2004109620.tif 000004
【図３】
2004109620.tif 000005
【図４】
2004109620.tif 000006
【図５】
2004109620.tif 000007
【図６】
2004109620.tif 000008
【図７】
2004109620.tif 000009
【図８】
2004109620.tif 000010
【図９】
2004109620.tif 000011
【図１０】
2004109620.tif 000012
【図１１】
2004109620.tif 000013
【図１２】
2004109620.tif 000014
【図１３】
2004109620.tif 000015
【図１４】
2004109620.tif 000016
【図１５】
2004109620.tif 000017
【図１６】
2004109620.tif 000018
【図１７】
2004109620.tif 000019
【図１８】
2004109620.tif 000020
【図１９】
2004109620.tif 000021
【図２０】
2004109620.tif 000022
【図２１】
2004109620.tif 000023